(57)【要約】      （修正有）【課題】様々な家具形態になるように、三種類の木製ボックス型中空板箱板材において、補助ダボとマグネットを取り付けることで、組み立てを簡単にした簡易組立家具組立セットを提供する。【解決手段】木製ボックス型中空板箱において、横３００〜４００ｍｍ、縦３００〜１０００ｍｍ、厚さ１０〜２０ｍｍの寸法の木製板の二枚と、横３００〜４００ｍｍ、横３００〜５００ｍｍ、厚さ１０〜２０ｍｍの寸法の木製板の二枚と、横３００〜１０００ｍｍ、縦５００〜８００ｍｍ、厚さ３〜５ｍｍの寸法の木製裏板との三種類の５枚の板材セットであって、木製板の二枚における横方向の面の両端から５〜１０ｍｍに補助ダボ２を２〜３個とマグネット１を２〜３個とを取り付けている簡易組立家具部材セット。【選択図】図１
0003176571.tif 000002
【実用新案登録請求の範囲】
【請求項１】
木製ボックス型中空板箱において、横３００〜４００ｍｍ、縦３００〜１０００ｍｍ、厚さ１０〜２０ｍｍの寸法の木製板（ａ板）の二枚と、横３００〜４００ｍｍ、横３００〜５００ｍｍ、厚さ１０〜２０ｍｍの寸法の木製板（ｂ板）の二枚と、横３００〜１０００ｍｍ、縦５００〜８００ｍｍ、厚さ２〜５ｍｍの寸法の木製裏板（ｃ板）との三種類の５枚の板材セットにおいて、中空板箱体の組み立て構造で、横３００〜４００ｍｍ、縦３００〜１０００ｍｍ、厚さ１０〜２０ｍｍの寸法の木製板（ａ板）の二枚には、横方向の厚さ面の両側に補助ダボ用穴を２〜３個とマグネットを２〜３個と、縦方向の内側片面の端７〜１５ｍｍの一列に幅２〜５ｍｍ、深さ５〜１０ｍｍの切り込み溝を設けて、横３００〜４００ｍｍ、横３００〜５００ｍｍ、厚さ１０〜２０ｍｍの寸法の木製板（ｂ板）の二枚には、横方向の面の両端から５〜１０ｍｍの位置に補助ダボ用穴を２〜３個とマグネットを２〜３個とを取り付けていることを特徴とする簡易組立家具部材セット
【請求項２】
組み立ての接合具の補助ダボは、直径３〜７ｍｍ、長さ１０〜１５ｍｍで両先端部を棒状の木製、又は金属製、又は樹脂製であって、前記ダボの挿入部は、家具構造の左横板と、右横板の二面における両厚さ方向面に二等分、又は三等分の位置に、各々の木製板をお互いに固定できるように２〜３ケ所に、直径３〜１０ｍｍである穴部と、並びに上板と底板において横方向の面の両端から５〜１０ｍｍの位置の２〜３ケ所に、直径３〜１０ｍｍである穴部とになっていることを特徴とする請求項１に記載の簡易組立家具部材セット
【請求項３】
組み立ての接合具のマグネットは、直径５〜１５ｍｍ、長さ３〜７ｍｍの金属製円盤状であって、前記マグネットの接合部は、各々の木製横板をマグネットによってお互いに接合できるように、家具構造の左横板と、右横板の二面における厚さ方向面に二等分、又は三等分の位置の２〜３ケ所の穴部にはめ込みマグネット盤を設置して、それぞれ同位置に異極のマグネット盤にし、並びに上板と底板において横方向の面の両端から５〜１０ｍｍに二等分、又は三等分の位置の２〜３ケ所の穴部にはめ込みマグネット盤を設置して、それぞれ同位置に異極のマグネット盤にしていることを特徴とする請求項１又は請求項２に記載の簡易組立家具部材セット
【請求項４】
木製ボックス型中空板箱の板材は、無垢の木又はフラッシュ材で厚さ１０〜３０ｍｍであって、無垢の材質として杉材、又は樅材、又はヒノキ、又はパイン材で、４〜６個の接続具付き４枚の木製板材と裏板とを組み合せた、履物入れ、食器入れ、小物入れの箱物家具であることを特徴とする請求項１〜請求項３のいずれかに記載の簡易組立家具部材セット
【請求項６】
木製ボックス型開き戸付き中空板箱において、中空板箱の表面を、横３００〜４００ｍｍ、縦３００〜１０００ｍｍである透明板での窓型、又は窓なし型にして蝶番付き開き戸を取り付けるために、横３００〜４００ｍｍ、縦３００〜１０００ｍｍ、厚さ１０〜２０ｍｍの寸法の木製板（ａ板）の二枚と、横３００〜４００ｍｍ、横３００〜５００ｍｍ、厚さ１０〜２０ｍｍの寸法の木製板（ｂ板）の二枚と、横３００〜１０００ｍｍ、縦５００〜８００ｍｍ、厚さ２〜５ｍｍの寸法の木製裏板（ｃ板）との三種類の５枚の板材と、開き戸とからなり、開き戸付き中空板箱体の組み立て構造において、横３００〜４００ｍｍ、縦３００〜１０００ｍｍ、厚さ１０〜２０ｍｍの寸法の横板（ａ板）の１枚を、縦方向の端位置の２ケ所に蝶番受けを取り付けて、横３００〜４００ｍｍ、縦３００〜１０００ｍｍ、厚さ１０〜２０ｍｍの寸法の開き戸には、縦方向の端位置の２ケ所に蝶番を取り付けていることを特徴とする請求項１〜請求項５のいずれかに記載の簡易組立家具部材セット
【考案の詳細な説明】
【技術分野】
【０００１】本考案は木製ボックス型中空板箱の部材を簡単に組み立て箱体を形成して、この箱体を組み合せることにより多彩な展開が簡易に出来るようにして、木製ボックス型中空板箱が、簡単に部材の組み立てて得られた、箱体を種々組み合せによって自然観をもった意匠性の高い家具になる簡易組み立て式箱体家具部材セットに関するものである。
【背景技術】
【０００２】  従来より一般的な組立棚は左右両側板および中仕切板を有し、複数段の棚板を等間隔に配し、この棚板などの部材を側板外側よりボルトやビス等の金具をドライバー等の工具を使い、種々の部材の組立と固定によって箱状家具が製作されていた。【０００３】  基本ボックスあるいは、板材を簡単に組み立てによる家具が製作されていることが提案されている（特許文献１〜２参照）。しかし形状が一定であってデザイン性では劣るものであった。
箱体の部材の組み立てにおいて両側板に棚板が水平に取付けられて、棚板は側板の外側面より挿入され内側面へ突出した止め具により支持されている。部材の組み立てにおけるネジなどの止め金具が使用されているが、両側板から棚板の木口に螺合する場合には正確性が必要となってくる。【０００４】  棚などの部品を固定する位置が決定されるが、用途に応じ棚を移動しての使用が不可能はできない。組立式棚はそのサイズを超える場合、側板との間に中仕切り板により棚板を支える構造としているが、中仕切り板を取り付けることで、棚板に載置する物品が制約されることになる。棚板を移動可能な方法で両側板の内側面より止め金具を嵌め込み、棚板は止め金具に載って支持されている方法が提案されている（特許文献３〜４参照）。【０００５】  家具の箱体の部材を簡単に固定、接合して、組み立て家具は少なく、またこの家具、及びその部材の組み合わせによって所望のデザイン性の家具を簡単に、容易に組み合わせ、組み立てられる家具は見当たらない。
【先行技術文献】
【特許文献】
【０００６】
【特許文献１】実用新案登録３０９９７３０号
【特許文献２】実用新案登録３１３３０３８号
【特許文献３】実開平０５−１５８４９号
【特許文献４】特開２００７−１１７２３２号
【考案の概要】
【考案が解決しようとする課題】
【０００７】このように、従来の組立て式木製棚には上記のごとき問題があった。本考案が解決しようとする課題であり、中仕切り板を取付けることなく、荷重に耐え、しかも簡単にデザインを替えて、無垢材料を用いて自然観を持たせた窓付木製ボックス型中空板箱ユニットであって、高い意匠性の簡易組み立て式の家具部品セットを提供する。【０００８】  上記した近年提案の組立の家具は、それの占有スペースを少なくして、小さいスペースでの使用に好適であるけれども、実使用に際しては専用の補助ダボとマグネット金具のために多種の家具全体としてのバリエーションには自ずと限界があった。この家具、及びその部材の組み合わせによって所望のデザイン性の家具を簡単に、容易に組み合わせ、組み立てられる家具は見当たらない。【０００９】  本考案は上記実情に鑑みてなされたもので、ワンルームマンションなど小さいスペース部屋での使用に好適であるとともに、ドライバー等の工具を使用しない簡単な操作で任意の場所に容易に家具に組み立てて用いることができ、しかも、全体のバリエーションに多様性を持たせることができる簡易組立家具部材セットを提供することを目的としている。
【課題を解決するための手段】
【００１０】  木製ボックス型中空板箱において、横３００〜４００ｍｍ、縦３００〜１０００ｍｍ、厚さ１０〜２０ｍｍの寸法の木製板（ａ板）の二枚と、横３００〜４００ｍｍ、横３００〜５００ｍｍ、厚さ１０〜２０ｍｍの寸法の木製板（ｂ板）の二枚と、横３００〜１０００ｍｍ、縦５００〜８００ｍｍ、厚さ３〜５ｍｍの寸法の木製裏板（ｃ板）との三種類の板材セットにて、横３００〜４００ｍｍ、縦３００〜１０００ｍｍ、厚さ１０〜２０ｍｍの寸法の木製板（ａ板）の二枚には、横方向の厚さ面の両側に補助ダボ用穴を２〜３個とマグネットを２〜３個と、縦方向の内側片面の端一列に幅３〜５ｍｍ、深さ３〜５ｍｍの切り込み溝を設け、横３００〜４００ｍｍ、横３００〜５００ｍｍ、厚さ１０〜２０ｍｍの寸法の木製板（ｂ板）の二枚には、横方向の面の両端から５〜１０ｍｍに補助ダボを２〜３個とマグネットを２〜３個を取り付けている中空板箱の組み立て構造にしている簡易組立家具部材セットである。【００１１】組み立ての接合具の補助ダボは、直径３〜７ｍｍ、長さ１０〜１５ｍｍで両先端部を棒状の木製、又は金属製、又は樹脂製であって、前記ダボの挿入部は、家具構造の左横板と、右横板の二面における両厚さ方向面に二等分、又は三等分の位置に、各々の木製板をお互いに固定できるように２〜３ケ所に、直径３〜１０ｍｍである穴部と、並びに上板と底板において横方向の面の両端から５〜１０ｍｍの位置の２〜３ケ所に、直径３〜１０ｍｍである穴部とになっている簡易組立家具部材セットである。【００１２】組み立ての接合具のマグネットは、直径５〜１５ｍｍ、長さ３〜７ｍｍの金属製円盤状であって、前記マグネットの接合部は、各々の木製横板をマグネットによってお互いに接合できるように、家具構造の左横板と、右横板の二面における厚さ方向面に二等分、又は三等分の位置の２〜３ケ所の穴部にはめ込みマグネット盤を設置して、それぞれ同位置に異極のマグネット盤にし、並びに上板と底板において横方向の面の両端から５〜１０ｍｍに二等分、又は三等分の位置の２〜３ケ所の穴部にはめ込みマグネット盤を設置して、それぞれ同位置に異極のマグネット盤にしている。【００１３】木製ボックス型中空板箱の板材は、無垢の木、又はフラッシュ材で厚さ１０〜３０ｍｍであって、材質として杉材、樅材、又はヒノキ材、又はパイン材で、４〜６個の接続具付き４枚の木製板材を組み合せることにより、履物入れ、食器入れ、小物入れの箱物家具になる簡易組立家具部材セットである。【００１４】木製ボックス型開き戸付き中空板箱において、中空板箱の表面を、横３００〜４００ｍｍ、縦３００〜１０００ｍｍである透明板での窓型、又は窓なし型にして蝶番付き開き戸を取り付けるために、横３００〜４００ｍｍ、縦３００〜１０００ｍｍ、厚さ１０〜２０ｍｍの寸法の木製板（ａ板）の二枚と、横３００〜４００ｍｍ、横３００〜５００ｍｍ、厚さ１０〜２０ｍｍの寸法の木製板（ｂ板）の二枚と、横３００〜１０００ｍｍ、縦５００〜８００ｍｍ、厚さ２〜５ｍｍの寸法の木製裏板（ｃ板）との三種類の５枚の板材と、開き戸とからなり、開き戸付き中空板箱体の組み立て構造において、横３００〜４００ｍｍ、縦３００〜１０００ｍｍ、厚さ１０〜２���ｍｍの寸法の横板の１枚を、縦方向の端位置の２ケ所に蝶番受けを取り付けて、横３００〜４００ｍｍ、縦３００〜１０００ｍｍ、厚さ１０〜２０ｍｍの寸法の開き戸には、縦方向の端位置の２ケ所に蝶番を取り付けている。【００１５】木製ボックス型中空板箱において、中空板箱の表面を、透明板での窓型、又は窓なし型にして開き戸を取り付けるために、横３００〜４００ｍｍ、縦３００〜１０００ｍｍ、厚さ１０〜２０ｍｍの寸法の木製板と、横３００〜４００ｍｍ、横３００〜５００ｍｍ、厚さ１０〜２０ｍｍの寸法の木製板との二種類の４枚の板材で、中空板箱体の組み立て構造において、横３００〜４００ｍｍ、縦３００〜１０００ｍｍ、厚さ１０〜２０ｍｍの寸法の木製板の一枚には、横方向の厚さ面の両側に補助ダボ用穴を２〜３個とマグネットを２〜３個と二カ所の位置に蝶番と、縦方向の内側片面の端７〜１５ｍｍの一列に幅２〜５ｍｍ、深さ５〜１０ｍｍの切り込み溝を設けて、他方横３００〜４００ｍｍ、縦３００〜１０００ｍｍ、厚さ１０〜２０ｍｍの寸法の木製板の一枚には、横方向の厚さ面の両側に補助ダボ用穴を２〜３個とマグネットを２〜３個と２ケ所の位置に蝶番受けと、縦方向の内側片面の端７〜１５ｍｍの一列に幅２〜５ｍｍ、深さ５〜１０ｍｍの切り込み溝を設けて、横３００〜４００ｍｍ、横３００〜５００ｍｍ、厚さ１０〜２０ｍｍの寸法の木製板の二枚には、横方向の面の両端から５〜１０ｍｍの位置に補助ダボ用穴を２〜３個とマグネットを２〜３個とを取り付けている。
【考案の効果】
【００１６】本考案は単一の木製ボックス型中空板箱を板材の組合せによる多彩な形状の箱体の組み立てができることにより、様々な用途に対応できる多様性が特徴である。また、天板との組み合せることで、履物入れ、食器入れ、小物入れタンス、電気機器設置ラックテーブル、座卓、デスクなどの展開が広がり幅広い用途に対応できる。多目的木製箱体は、ボックス内部の裏板にモイスを組み込んだことで、箱体内部で発生するカビやダニなどの繁殖を制御することができる。【００１７】箱体の組み立ては、板材の部品に取り付けている補助ダボの挿入、及びマグネットの接合で簡単に組み合わせる事が出来、女性やお年寄りでも簡単に組み立てることが出来る。【００１８】本考案に係る組立式木製板材セットは、木製ボックス型中空板箱を数個の組み合わせた構造にした自然観の高いラック状の木製ボックス型中空板箱であり、この部材組み立ての木製ボックス型中空板箱を数個の箱体において自由に組み合せて、デザインを損なわない状態で、加重に十分耐えることができ、天板の撓みも抑制された。また高い意匠性の簡易組立家具が得られる板材部品セットを提供できる。
【図面の簡単な説明】
【００１９】
【図１】木製簡易組立式家具の組み立てにおける各板部品図  ａ：ａ板（縦方向の内側片面の端の補助ダボ用穴とマグネットと、縦方向の内側片面の端に切り込み溝）  ｂ：ｂ板（横方向の厚さ面の両端位置に補助ダボ用穴とマグネットと、縦方向の内側片面の端に切り込み溝）  ｃ：ｃ板（裏板）
【図２】木製簡易組立式家具のａ板とｂ板とｃ板との板部材の接合詳細図
【図３】木製簡易組立式家具の各板部材の組み立て図  Ａ：Ａタイプ  Ｂ：Ｂタイプ、Ｃ：Ｃタイプ
【図４】木製簡易組立式家具の前扉付き組立前の図  ｄ：蝶番付き扉、  ｅ：蝶番受けＡ板と組み立て
【図５】前扉蝶番付き木製簡易組立式家具の組立後の図。
【図６】扉付き木製簡易組立式家具の組立後家電ラック家具図
【考案を実施するための形態】
【００２０】木製ボックス型中空板箱において、横３００〜４００ｍｍ、縦３００〜１０００ｍｍ、厚さ１０〜２０ｍｍの寸法の木製板（ａ板）の二枚と、横３００〜４００ｍｍ、横３００〜５００ｍｍ、厚さ１０〜２０ｍｍの寸法の木製板（ｂ板）の二枚と、横３００〜１０００ｍｍ、縦５００〜８００ｍｍ、厚さ３〜５ｍｍの寸法の木製裏板（ｃ板）との三種類の５枚の板材セットであって、中空板箱体の組み立て構造において、横３００〜４００ｍｍ、縦３００〜１０００ｍｍ、厚さ１０〜２０ｍｍの寸法の木製板（ａ板）の二枚における横方向の厚さ面の両側に補助ダボ用穴を２〜３個とマグネットを２〜３個とを取り付け、縦方向の内側片面の端一列に幅３〜５ｍｍ、深さ３〜５ｍｍの切り込み溝を設け、横３００〜４００ｍｍ、横３００〜５００ｍｍ、厚さ１０〜２０ｍｍの寸法の木製板（ｂ板）の二枚における横方向の面の両端から５〜１０ｍｍに補助ダボを２〜３個とマグネットを２〜３個とを取り付けている簡易組立家具部材セットである。これら５枚の板材をマグネットと、補助ダボと切り込み溝によって図、２，図３のように組み立てる。
【実施例１】
【００２１】木製ボックス型中空板箱において、横３００ｍｍ、縦２００ｍｍ、厚さ１５ｍｍの寸法の木製板（ａ板）の二枚と、横３００ｍｍ、横３００ｍｍ、厚さ１５ｍｍの寸法の木製板の二枚（ｂ板）と、横３００ｍｍ、縦２００ｍｍ、厚さ１５ｍｍの寸法の木製裏板（ｃ板）との三種類の５枚の板材セットであって、中空板箱体の組み立て構造において、横３００ｍｍ、縦２００ｍｍ、厚さ１５ｍｍの寸法の木製板（ａ板）の二枚における横方向の面の両側に補助ダボ用８ｍｍ穴を２個と１０ｍｍマグネットを２個とを取り付け、縦方向の内側片面の端一列に幅３ｍｍ、深さ３ｍｍの切り込み溝を設け、横３００ｍｍ、横３００ｍｍ、厚さ１５ｍｍの寸法の木製板（ｂ板）の二枚における横方向の厚の両端から８ｍｍに補助ダボを２個と８ｍｍマグネットを２個とを取り付けた。【００２２】組み立ての接合具の補助ダボは、直径８ｍｍで、長さ１０ｍｍで両先端部を棒状の木製であって、家具構造の左横板、右横板の二面の厚さ面に二等分部の位置に、各々の木製板をお互いに固定できるように２ケ所に補助ダボの挿入可能な穴直径を８ｍｍである穴部をそれぞれ設置した。【００２３】組み立ての接合具のマグネットは、直径１０ｍｍで、長さ５ｍｍの金属製円盤状であって、各々の木製板をマグネットによってお互いに接合できるように、家具構造の左横板、右横板の二面の厚さ方向面に二等分部に、２か所の穴部に８ｍｍφのはめ込みマグネット盤で、それぞれ同位置にＮＳの異極のマグネット盤を設置した。【００２４】木製ボックス型中空板箱の板材は、無垢の木で厚さ１５ｍｍであって、材質として杉材で、８個の接続具付き４枚の木製板材を組み合せることにより、図３のＡタイプの中空刃固体の履物入れの箱物家具にした。
【実施例２】
【００２５】木製ボックス型中空板箱において、図１に示すように横３００ｍｍ、縦４００ｍｍ、厚さ１５ｍｍの寸法の木製板（ａ板）の二枚と、横３００ｍｍ、横３００ｍｍ、厚さ１５ｍｍの寸法の木製板（ｂ板）の二枚と、横３００ｍｍ、縦４００ｍｍ、厚さ３ｍｍの寸法の木製裏板（ｃ板）との三種類の５枚の板材セットであって、中空板箱体の組み立て構造において、横３００ｍｍ、縦４００ｍｍ、厚さ１５ｍｍの寸法の木製板（ａ板）の二枚における横方向の厚さ面の両側に補助ダボ用穴を２個とマグネットを２個とを取り付け、縦方向の内側片面の端一列に幅３ｍｍ、深さ３ｍｍの切り込み溝を設け、横３００ｍｍ、横４００ｍｍ、厚さ１５ｍｍの寸法の木製板（ｂ板）の二枚における横方向の面の両端から８ｍｍに補助ダボを２個とマグネットを２個とを取り付けた。【００２６】組み立ての接合具の補助ダボは、直径３ｍｍで、長さ１０ｍｍで両先端部を棒状の木製であって、家具構造の左横板、右横板の二面の厚さ面に二等分部の位置に、各々の木製板をお互いに固定できるように２ケ所に補助ダボの挿入可能な穴直径を８ｍｍである穴部をそれぞれ設置した。図２，３のように組み合わせた。【００２７】組み立ての接合具のマグネットは、直径１０ｍｍで、長さ５ｍｍの金属製円盤状であって、各々の木製板をマグネットによってお互いに接合できるように、家具構造の左横板、右横板の二面の厚さ方向面に二等分部に、２か所の穴部にはめ込みマグネット盤で、それぞれ同位置に異極のマグネット盤を設置した。【００２８】木製ボックス型中空板箱の板材は、無垢の木で厚さ１５ｍｍであって、材質として杉材で、４個の接続具付き４枚の木製板材を組み合せることにより、図３のＢタイプの履物入れの箱物家具になった。
【実施例３】
【００２９】木製ボックス型中空板箱において、横３００ｍｍ、縦３００ｍｍ、厚さ１０ｍｍの寸法の木製板（ａ板）の二枚と、横３００ｍｍ、縦５００ｍｍ、厚さ１０ｍｍの寸法の木製板（ｂ板）の二枚と、横３００ｍｍ、縦５００ｍｍ、厚さ３ｍｍの寸法の木製裏板（ｃ板）との三種類の５枚の板材セットであって、中空板箱体の組み立て構造において、横３００ｍｍ、縦３００ｍｍ、厚さ１００ｍｍの寸法の木製板（ａ板）の二枚における横方向の厚さ面の両側に補助ダボ用穴を２個とマグネットを２個とを取り付け、縦方向の内側片面の端一列に幅３ｍｍ、深さ３ｍｍの切り込み溝を設け、横３００ｍｍ、縦５００ｍｍ、厚さ１０ｍｍの寸法の木製板（ｂ板）の二枚における横方向の面の両端から５ｍｍに補助ダボを２３個とマグネットを２個とを取り付けた。【００３０】組み立ての接合具の補助ダボは、直径３ｍｍで、長さ１０ｍｍで両先端部を棒状の木製であって、家具構造の左横板、右横板の二面の厚さ面に二等分部の位置に、各々の木製板をお互いに固定できるように２ケ所に補助ダボの挿入可能な穴直径を３ｍｍである穴部をそれぞれ設置した。【００３１】組み立ての接合具のマグネットは、直径１０ｍｍで、長さ５ｍｍの金属製円盤状であって、各々の木製板をマグネットによってお互いに接合できるように、家具構造の左横板、右横板の二面の厚さ方向面に二等分部に、２か所の穴部にはめ込みマグネット盤で、それぞれ同位置に異極のマグネット盤を設置した。【００３２】木製ボックス型中空板箱の板材は、無垢の木で厚さ１０ｍｍであって、材質として杉材で、４個の接続具付き４枚の木製板材を組み合せることにより、図４のＢタイプの履物入れの箱物家具になった。
【実施例４】
【００３３】木製ボックス型中空板箱において、横３００ｍｍ、縦３００ｍｍ、厚さ１０ｍｍの寸法の木製板（ａ板）の二枚と、横３００ｍｍ、横３００ｍｍ、厚さ１０ｍｍの寸法の木製板（ｂ板）の二枚と、横３００ｍｍ、縦５００ｍｍ、厚さ３ｍｍの寸法の木製裏板（ｃ板）との三種類の５枚の板材セットであって、中空板箱体の組み立て構造において、横３００ｍｍ、縦３００ｍｍ、厚さ１００ｍｍの寸法の木製板（ａ板）の二枚における横方向の面の両側から５ｍｍに補助ダボ用穴を２個とマグネットを２個とを取り付け、縦方向の内側片面の端一列に幅３ｍｍ、深さ３ｍｍの切り込み溝を設け、横３００ｍｍ、横３００ｍｍ、厚さ１０ｍｍの寸法の木製板の二枚における横方向の厚さ面に補助ダボを２個とマグネットを２個とを取り付けて、縦方向の内側片面の端一列に幅３ｍｍ、深さ３ｍｍの切り込み溝を設けた。【００３４】組み立ての接合具の補助ダボは、直径３ｍｍで、長さ１０ｍｍで両先端部を棒状の木製であって、家具構造の左横板、右横板の二面の厚さ面に二等分部の位置に、各々の木製板をお互いに固定できるように２ケ所に補助ダボの挿入可能な穴直径を３ｍｍである穴部をそれぞれ設置した。【００３５】組み立ての接合具のマグネットは、直径８ｍｍで、長さ４ｍｍの金属製円盤状であって、各々の木製板をマグネットによってお互いに接合できるように、家具構造の左横板、右横板の二面の厚さ方向面に二等分部に、２か所の穴部にはめ込みマグネット盤で、それぞれ同位置に異極のマグネット盤を設置している。木製ボックス型中空板箱の板材は、無垢の木で厚さ１０ｍｍであって、材質として杉材で、４個の接続具付き４枚の木製板材を組み合せることにより、Ａタイプの開き戸付き履物入れの箱物家具にした。
【実施例５】
【００３６】実施例１で製作したＡタイプ４個（実施例４と同様に製作した開き戸付きを３個となしを１個）と実施例２で製作したＢタイプ１個（実施例４と同様に製作した開き戸付き）と実施例３で製作したＣタイプの１個とを図６のように組み合わせて、サイドボートを組み立てた。各木製ボックス型中空板箱の組み立て後の固定は、各々の上面と下面の２個のマグネットを上下で接合して行った。【００３７】またＡタイプの４個と天板によって、テレビボードになって種々の模様の組み立てが板材から簡単に製作できた。さらに得られた家具は強度的にも強固なものであった。さらに杉材の無垢板を使用しているために、自然感を非常にもたらした。
【符号の説明】
【００３８】１．マグネット
２．補助ダボ
３．マグネット穴
４．ダボ穴
５．切り込み溝
６．上板
７．裏板
８．側板
９．Ａタイプボックス型中空板箱
１０．Ｂタイプボックス型中空板箱
１１．Ｃタイプボックス型中空板箱
１２．前扉
１３．蝶番
１４．蝶番受け
１５．窓
【図１】
0003176571.tif 000003
【図２】
0003176571.tif 000004
【図３】
0003176571.tif 000005
【図４】
0003176571.tif 000006
【図５】
0003176571.tif 000007
【図６】
0003176571.tif 000008
【手続補正書】
【提出日】平成24年4月7日(2012.4.7)
【手続補正１】
【補正対象書類名】実用新案登録請求の範囲
【補正対象項目名】全文
【補正方法】変更
【補正の内容】
【実用新案登録請求の範囲】
【請求項１】
木製ボックス型中空板箱において、横３００〜４００ｍｍ、縦３００〜１０００ｍｍ、厚さ１０〜２０ｍｍの寸法の木製板（ａ板）の二枚と、横３００〜４００ｍｍ、横３００〜５００ｍｍ、厚さ１０〜２０ｍｍの寸法の木製板（ｂ板）の二枚と、横３００〜１０００ｍｍ、縦５００〜８００ｍｍ、厚さ２〜５ｍｍの寸法の木製裏板（ｃ板）との三種類の５枚の板材セットで構成されて、中空板箱体の組み立てのために、横３００〜４００ｍｍ、縦３００〜１０００ｍｍ、厚さ１０〜２０ｍｍの寸法の木製板（ａ板）の二枚には、横方向の厚さ面の両側に組み立ての接合具の補助ダボ用穴を２〜３個と組み立ての接合具のマグネットを２〜３個と、縦方向の内側片面の端７〜１５ｍｍの一列に幅２〜５ｍｍ、深さ５〜１０ｍｍの切り込み溝を設けて、横３００〜４００ｍｍ、縦３００〜５００ｍｍ、厚さ１０〜２０ｍｍの寸法の木製板（ｂ板）の二枚には、横方向の面の両端から５〜１０ｍｍの位置に組み立ての接合具の補助ダボ用穴を２〜３個と、組み立ての接合具のマグネットを２〜３個とを取り付けていることを特徴とする簡易組立家具部材セット
【請求項２】
前記組み立ての接合具の補助ダボは、両先端部をＲ状にした直径３〜７ｍｍ、長さ１０〜１５ｍｍの棒状である木製、又は金属製、又は樹脂製であって、前記木製板（ａ板）に設けられる補助ダボ用穴は、二等分、又は三等分の位置に設けられ、その直径は３〜１０ｍｍであり、前記木製板（ｂ板）に設けられる補助ダボ用穴は、その直径は３〜１０ｍｍであることを特徴とする請求項１に記載の簡易組立家具部材セット
【請求項３】
組み立ての接合具のマグネットは、直径５〜１５ｍｍφ、厚さ３〜７ｍｍの金属製円盤状であって、前記ａ板とｂ板が接合できるように、前記木製板（ａ板）に設けられる前記マグネットは、ａ板の厚さ方向両面で二等分、又は三等分の位置にはめ込みできる前記円盤状マグネットを設置して、両面の反対片側をＮＳ異極の円盤状マグネットにして、並びに前記木製板（ｂ板）に設けられる前記マグネットは、ｂ板の横方向の面の両端から５〜１０ｍｍに二等分、又は三等分の位置にはめ込みできる円盤状マグネットを設置して、両端の反対片側をＮＳ異極の円盤状マグネットにしていることを特徴とする請求項１又は請求項２に記載の簡易組立家具部材セット
【請求項４】
請求項１〜請求項３のいずれかに記載の簡易組立家具部材セットを用いて形成した箱型家具であって、木製ボックス型中空板箱を構成する前記木製板（ａ板）、前記木製板（ｂ板）、前記木製板（ｃ板）は、無垢の木、又はフラッシュ材で厚さ１０〜３０ｍｍであり、無垢の材質として杉材、又は樅材、又はヒノキ、又はパイン材を使用し、履物入れ、食器入れ、小物入れであることを特徴とする箱型家具
【請求項５】
請求項１〜請求項３のいずれかに記載の簡易組立家具部材セットを用いて形成した木製ボックス型開き戸付き中空板箱であって、透明板での窓型、又は窓なし型にして蝶番付き開き戸を備え、一枚の前記木製板（ａ板）に縦方向の端位置の２ケ所に蝶番受けを取り付け、前記蝶番付き開き戸は、横３００〜４００ｍｍ、縦３００〜１０００ｍｍ、厚さ１０〜２０ｍｍの寸法で、縦方向の端位置の２ケ所に蝶番を取り付けていることを特徴とする木製ボックス型開き戸付き中空板箱。